(57)【要約】  【課題】  パソコン等の冷却用として好適なポンプを提供する。  【解決手段】  本発明は内部に円筒状の空間部３ａを有するボディ３であって、該ボディ３の前記空間部３ａ中心に回転軸を設け、該回転軸に一側面にカム面を形成したカム筒体８を軸着し、更に、該カム筒体８の側面に密接し、且つ、該カム筒体８の回転に追随して出没するローラ１５を配設し、該ローラ１５の出没作用により、前記カム筒体８のカム面７と前記空間部３ａを形成するボディ３の内周壁３ｂとの間に形成される中空部９に封入している流体を圧縮して、該流体を吐出口１９から外部へ吐出させ、更に、該カム筒体８が前記吐出口１９側と反対側に回転してきたとき、該中空部９を負圧にして該中空部９に外部から流体の注入を促進させるように構成されたことを特徴とするカム式ポンプを提供する。【選択図】図２
2006152909.tif 000002
【特許請求の範囲】
【請求項１】
内部に円筒状の空間部を有するボディであって、該ボディの前記空間部中心に回転軸を設け、該回転軸に一側面にカム面を形成したカム筒体を軸着し、更に、該カム筒体の側面に密接し、且つ、該カム筒体の回転に追随して出没するローラを配設し、該ローラの出没作用により、前記カム筒体のカム面と前記空間部を形成するボディの内周壁との間に形成される中空部に封入している流体を圧縮して、該流体を吐出口から外部へ吐出させ、更に、該カム筒体が前記吐出口側と反対側に回転してきたとき、該中空部を負圧にして該中空部に外部から流体の注入を促進させるように構成されたことを特徴とするカム式ポンプ。
【請求項２】
上記吐出口及び吸込口には夫々逆止弁が設けられていることを特徴とする請求項１記載のカム式ポンプ。
【請求項３】
上記カム筒体の側面に密接して出没するローラは背面側に設けたスプリングにて前記カム筒体の側面に密接するように構成されていることを特徴とする請求項１又は２記載のカム式ポンプ。
【請求項４】
上記流体は水又は空気であることを特徴とする請求項１、２又は３記載のカム式ポンプ。
【発明の詳細な説明】
【技術分野】
【０００１】
本発明はカム式ポンプに関するものであり、特に、パソコン等の冷却装置として用いられるカム式ポンプに関するものである。
【背景技術】
【０００２】
従来、此種ポンプとしてピストン式ポンプやロータリーポンプ或いはバイモルフ式ポンプ等が知られている。
【０００３】
而して、上記ピストン式ポンプは上下死点における振動及び騒音が大であり、ロータリーポンプは精密な加工技術が要求される。又、前記バイモルフ式ポンプは定格以上の駆動電圧を印加して流量を増加させることはできない。そのため、駆動電圧を定格以下に下げると圧電バイモルフ振動子の振幅が少なくなるため流量が少なくなり、圧縮比が下って自吸力、吐出圧等の圧力性能も同時に低下する。
【０００４】
従来は、パソコンのＣＰＵ等で発生する熱を空冷ファンを用いた空冷式冷却装置で冷却しているが、該空冷ファンから発生する騒音が大きいという問題がある。
【０００５】
上記従来例は何れも、パソコン用冷却装置として適切なものであるとは云えない。
【０００６】
又、エアコンプレッサー等に用いられる多カム式ロータリーポンプも知られている。（例えば、特許文献１）
同文献１によれば、該多カム式ロータリーポンプは、回転軸を固定して取り付けた回転体において、その回転体の軸を中心として放射状に配置されたピストンとシリンダを有し、且つ、その回転体がカム状の形状をしており、ピストンを作動させ回転体と同軸で同じ周期で作動する弁を持つ回転環をも合わせて有して成る。
【０００７】
上記構成によれば、カムは同一形状の凸部及び凹部を相互に多数配設して成り、而も、之等各凹凸面に対応する位置であって放射状にピストンとシリンダが配設され、多カムの回転によって前記ピストンがシリンダ内を往復動するように構成され、更に、該シリンダ内に流体を流入吐出するための注入口及び吐出口を設け、該多カムの回転に同期して作動する回転環を前記注入口及び吐出口に交互に配向するように構成されている。従って、構成が極めて複雑であり、更に、高精度の加工技術が要求され、パソコン用の冷却装置としては適当でない。
【特許文献１】特開平１−１９５９７８号公報
【発明の開示】
【発明が解決しようとする課題】
【０００８】
上記従来例の欠陥に鑑み、之等の欠陥を克服すべく、特にパソコン等の冷却装置として好適なポンプを提供するために解決せられるべき技術的課題が生じてくるのであり、本発明は該課題を解決することを目的とする。
【課題を解決するための手段】
【０００９】
本発明は上記目的を達成するために提案されたものであり、請求項１記載の発明は内部に円筒状の空間部を有するボディであって、該ボディの前記空間部中心に回転軸を設け、該回転軸に一側面にカム面を形成したカム筒体を軸着し、更に、該カム筒体の側面に密接し、且つ、該カム筒体の回転に追随して出没するローラを配設し、該ローラの出没作用により、前記カム筒体のカム面と前記空間部を形成するボディの内周壁との間に形成される
中空部に封入している流体を圧縮して、該流体を吐出口から外部へ吐出させ、更に、該カム筒体が前記吐出口側と反対側に回転してきたとき、該中空部を負圧にして該中空部に外部から流体の注入を促進させるように構成されたカム式ポンプを提供するものである。
【００１０】
この構成によれば、ボディの中空部中心に配設されているカム筒体が回転するとき、該カム筒体の一側面に形成されているカム面と該ボディとの間には常に所定体積を有する中空部が形成され、そして、カム筒体の回転に追随して該中空部もボディ内をカム筒体の中心軸を中心として周回転する形態を呈する。そこで、カム筒体の側面に圧接しているローラが回転移動している前記中空部の始端に位置したときから、該中空部内に充填している流体を圧縮し乍ら吐出口を介して該流体を吐出させる。
【００１１】
更に、負圧状態になった中空部が前記吐出口側と反対側に転移してきたとき、吸込口から流体が吸入して該中空部に流体を充填させる。このような作用はカム筒体の回転動作によって続行される。
【００１２】
次に、請求項２記載の発明は、請求項１において上記吐出口及び吸込口に夫々逆止弁が設けられて成るカム式ポンプを提供するものである。
【００１３】
この構成によれば、ボディの中空部への流体の注入及び吐出作用が極めて効率的に実行される。
【００１４】
更に又、請求項３記載の発明は、上記請求項１又は２においてカム筒体の側面に密接して出没するローラはスプリングにて該カム筒体に密接するように構成されて成るカム式ポンプを提供するものである。
【００１５】
この構成によれば、カム筒体の回転動作によって転移する前記中空部に充填されている流体の吐出及び、該中空部の負圧を効率良く助成してポンプ作用の円滑性を計っている。
【００１６】
次に請求項４記載の発明は、上記各請求項において流体は水又は空気が用いられて成るカム式ポンプを提供するものである。
【００１７】
この構成によれば、パソコン等の冷却用としての水又は空気がカム筒体の回転及びローラの圧接作用によってポンプ内に効率良く供給・吐出されて冷却作用が実行される。
【発明の効果】
【００１８】
請求項１記載の発明は、カム筒体の回転及びローラの圧接作用によってカム面とボディとの間の中空部に充填されている流体が圧縮され乍ら吐出口から吐出されてパソコン等を効果的に冷却し、更に、該中空部から流体が吐出された状態の前記中空部は負圧状態となり、依って、該負圧状態の中空部が吸込口側に転移してきたとき、該吸込口から流体が該中空部に注入充填し、そして、かかる吐出、充填の作用を反覆して流体がパソコン等を極めて効果的に冷却する。
【００１９】
而も、構成が簡素であって高度の精密加工技術を要せず、コスト面においても極めて有利であり、且つ、振動及び騒音を生じることなくパソコン等の冷却用としては充分な流量が確保できる。
【００２０】
請求項２記載の発明は、上記吐出口及び吸込口に逆止弁が設けられているので、請求項１記載の発明の機能を一層効率良く助成することができる。
【００２１】
又、請求項３記載の発明は、ローラの背面側にスプリングを配して該ローラをカム筒体
の側面に圧接しているので、該ローラによる上記中空部内の流体に対する圧縮吐出作用及び該中空部内の負圧形成が効率良く実行され、請求項１又は２記載の発明の効果に加え、パソコン等に対する冷却作用が一層効果的に助成される。
【００２２】
更に又、請求項４記載の発明は、上記流体として水又は空気が採択されているので、上記請求項１、２又は３記載の効果に加え、空冷ファン等を用いたものに比較して騒音等が発生することなく非常に静かであって、パソコン等の冷却装置としては最適となる。
【発明を実施するための最良の形態】
【００２３】
本発明は高度の加工技術を要せず、且つ、振動及び騒音を可及的に低減し、コスト的にも優位なパソコン等の冷却用ポンプを提供すると云う目的を、内部に円筒状の空間部を有するボディであって、該ボディの前記空間部中心に回転軸を設け、該回転軸に一側面にカム面を形成したカム筒体を軸着し、更に、該カム筒体の側面に密接し、且つ、該カム筒体の回転に追随して出没するローラを配設し、該ローラの出没作用により、前記カム筒体のカム面と前記空間部を形成するボディの内周壁との間に形成される中空部に封入している流体を圧縮して、該流体を吐出口から外部へ吐出させ、更に、該カム筒体が前記吐出口側と反対側に回転してきたとき、該中空部を負圧にして該中空部に外部から流体の注入を促進させるように構成したことによって実現した。
【実施例】
【００２４】
以下、本発明の好適な実施例を図１乃至図４に従って詳述する。図１は本発明のカム式ポンプ１の斜面図である。同図において、カム式ポンプ１はベース２上にボディ３が載設され、そして、該ボディ３上に上部ボディ４がボルト５，５…等の手段で密嵌固設されている。
【００２５】
而して、上記ボディ３には、図２に示すように、略中央部ら円筒状の空間部３ａが形成され、そして、該空間部３ａ中心部にモータ駆動にて回転するモータ軸６が設けられ、該モータ軸６に一側面にカム面７が形成されているカム筒体８が軸着されている。該カム筒体８は、前記カム面７以外の周側面が前記ボディ３の円筒状の空間部３ａの内周壁面３ｂに密接し、そして、該内周壁面３ｂに沿って前記モータ軸６の回転にて回転する。従って、該カム筒体８の回転によって前記ボディ３の内周壁面３ｂと該カム筒体８のカム面７との間に形成される中空部９は経時的に前記ボディ３の内周壁面３ｂに沿って移動する。
【００２６】
一方、前記ボディ３の一側部（図において左側部）には前記円筒状の空間部３ａに開口した貫通孔１０が開穿されており、そして、該貫通孔１０と連通する連通孔１１を有するボス１２を該ボディ３に取付ける。この実施例では、該ボス１２には前記連通孔１１を貫設した突部１２ａを介し、該突部１２ａに設けた雄螺子部と相互に螺合する雌螺子部をボディ３に設けた凹部１３に設け、雄螺子部及び雌螺子部を相互に螺合することにより該ボス１２をボディ３に固定している。
【００２７】
又、貫通孔１０及び連通孔１１にはロッド１４が左右摺動自在に配設されており、そして、図２において該ロッド１４の右端部に前記カム筒体８の外周面に圧接するローラ１５を回転自在に軸着し、更に、前記ボス１２に設けた連通孔１１に段部１１ａと前記ローラ１５を枢着しているローラ取付体１６との間にスプリング１７を介装し、該スプリング１７の弾性により該ローラ１５を前記カム筒体８及びボディ３の内周壁面３ｂに常時圧接させるように形成されている。
【００２８】
又、前記カム筒体８が回転し、該カム筒体８のカム面７以外の外側面に圧接する場合は、該ローラ１５を没入させる必要がある。このために該ボディ３の前記円筒状の空間部３ａに開口した大径の陥入凹部１８を設け、該ローラ１５の前記円筒状の空間部３ａ及び該
陥入凹部１８間を相互に移動してカム筒体８の回転を可能にすると共に、該カム筒体８のカム面７とボディ３の前記内周壁面３ｂとによって形成される前記中空部９に密嵌し、該中空部９内に充填される水又は空気Ｗを該中空部９内に密閉し乍ら該カム筒体８の回転に伴い、該水又は空気Ｗを該円筒状の空間部３ａと連通して設けられている吐出口１９から該水又は空気Ｗを外部に吐出し、そして、該水又は空気Ｗをパソコン（（図示せず）等に導入して該パソコンを冷却することができるように構成されている。
【００２９】
特に、最近、パソコンの高性能化に伴いＣＰＵが発生する熱によってＣＰＵの機能に誤作動が生じることがあるが、本発明のカム式ポンプ１を用いることにより該パソコンは適正に冷却され、ＣＰＵ等の誤作動発生を未然に防止することができる。
【００３０】
又、該カム筒体８のカム面７が前記ローラ１５から離脱したときには、前記中空部９は殆ど負圧状態になっており、そこで、水又は空気Ｗの取込口２０からの該水又は空気Ｗが容易に該中空部９内に流入充填する。斯くの如く、カム筒体８の回転及びローラ１５の圧接作用により、中空部９内の水又は空気Ｗの注入・吐出作用を反覆させることにより極めて効率良く前記パソコン等の冷却を実行することが可能となる。
【００３１】
尚、前記ベース２内側面には前記モータ軸６を駆動するためのモータ（図示せず）等が内装されている。
【００３２】
更に又、本発明は、本発明の精神を逸脱しない限り種々の改変を為すことができ、そして、本発明が該改変されたものに及ぶことは当然である。
【図面の簡単な説明】
【００３３】
【図１】本発明の一実施例のカム式ポンプを示す斜面図。
【図２】図３のＢ−Ｂ線断面図。
【図３】本発明の要部の縦断を示し、図２のＡ−Ａ線断面図。
【図４】中空部がローラの反対側に移動してきたときの図３のＢ−Ｂ線断面図。
【符号の説明】
【００３４】
１      カム式ポンプ
２      ベース
３      ボディ
３ａ    円筒状の空間部
３ｂ    内周壁面
４      上部ボディ
５      ボルト
６      モータ軸
７      カム面
８      カム筒体
９      中空部
１０      貫通孔
１１      連通孔
１２      ボス
１５      ローラ
１７      スプリング
１９      吐出口
２０      取込口
Ｗ      水又は空気
【図１】
2006152909.tif 000003
【図２】
2006152909.tif 000004
【図３】
2006152909.tif 000005
【図４】
2006152909.tif 000006